(57)【要約】    【課題】  広画角、高ズーム比でしかも全ズーム範囲にわたり高い光学性能を有し、全系が小型のズームレンズを得ること。    【解決手段】  物体側から像側へ順に、ズーミングのためには不動の正の屈折力の第１レンズ群、変倍に際して移動する負の屈折力の第２レンズ群、変倍に際して移動する負の屈折力の第３レンズ群、変倍に際して移動する正の屈折力の第４レンズ群、ズーミングのためには不動の正の屈折力の第５レンズ群を有するズームレンズにおいて、第１レンズ群の焦点距離ｆ１、第２レンズ群の焦点距離ｆ２、第３レンズ群の焦点距離ｆ３、第４レンズ群の焦点距離ｆ４、広角端における第４レンズ群の結像倍率β４ｗを適切に設定する。【選択図】    図１
2015004917.tif 000002
【特許請求の範囲】
【請求項１】
物体側から像側へ順に、ズーミングのためには不動の正の屈折力の第１レンズ群、変倍に際して移動する負の屈折力の第２レンズ群、変倍に際して移動する負の屈折力の第３レンズ群、変倍に際して移動する正の屈折力の第４レンズ群、ズーミングのためには不動の正の屈折力の第５レンズ群を有するズームレンズにおいて、
前記第１レンズ群の焦点距離をｆ１、前記第２レンズ群の焦点距離をｆ２、前記第３レンズ群の焦点距離をｆ３、前記第４レンズ群の焦点距離をｆ４、広角端における前記第４レンズ群の結像倍率をβ４ｗとするとき、
−３．５＜ｆ１／ｆ２＜−１．０
−０．４０＜ｆ４／ｆ３＜−０．０１
−０．５０＜ｆ１／ｆ３＜−０．０１
｜１／β４ｗ｜＜０．５
なる条件式を満足することを特徴とするズームレンズ。
【請求項２】
広角端における前記第３レンズ群と前記第４レンズ群の間隔をＬ３ｗ、広角端における全系の焦点距離をｆｗ、ズーム比をＺとし、
ｆｍ＝ｆｗ×Ｚ０．６
を満たす焦点距離ｆｍとなるズーム位置における前記第３レンズ群と前記第４レンズ群の間隔をＬ３ｍとするとき、
０．０１＜Ｌ３ｗ／Ｌ３ｍ＜１．１０
なる条件式を満足することを特徴とする請求項１に記載のズームレンズ。
【請求項３】
ズーミングに際して前記第３レンズ群は、広角端において最も物体側に位置するズーム軌跡をとることを特徴とする請求項１又は２に記載のズームレンズ。
【請求項４】
前記第３レンズ群は、１以上の負レンズと１以上の正レンズを有することを特徴とする請求項１乃至３のいずれか１項に記載のズームレンズ。
【請求項５】
広角端から望遠端へのズーミングに際して、前記第２レンズ群は像側へ移動し、前記第３レンズ群と前記第４レンズ群は像側に凸状の軌跡で移動することを特徴とする請求項１乃至４のいずれか１項に記載のズームレンズ。
【請求項６】
前記第２レンズ群は物体側から像側へ順に、２つの負レンズ、正レンズ、負レンズより構成されることを特徴とする請求項１乃至５のいずれか１項に記載のズームレンズ。
【請求項７】
前記第４レンズ群は１つの正レンズ又は２つの正レンズより構成されることを特徴とする請求項１乃至６のいずれか１項に記載のズームレンズ。
【請求項８】
請求項１乃至７のいずれか１項に記載のズームレンズと該ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等の撮像装置の撮像光学系として好適なものである。
【背景技術】
【０００２】
近年、撮像装置に用いられる撮像光学系には、全系が小型軽量で、広画角・高ズーム比でかつ高い光学性能を有したズームレンズが要望されている。特に、プロフェッショナルの動画撮影システムとしてのテレビカメラや映画用カメラに用いられているＣＣＤやＣＭＯＳ等の撮像デバイスは、撮像範囲全体が略均一の解像力を有している。そのため、これらの撮像デバイスを用いる撮像装置に用いるズームレンズには、画面中心から画面周辺まで解像力が略均一で高解像力であることが強く要求されている。また、機動性や操作性を重視した撮影形態に対して小型軽量化であることも要求されている。
【０００３】
広画角、高ズーム比のズームレンズとして、最も物体側に正の屈折力のレンズ群を配置し、全体として５つのレンズ群により構成されるポジティブリード型の５群ズームレンズが知られている（特許文献１乃至３）。
【０００４】
特許文献１乃至３のズームレンズは、物体側から像側へ順に、正の屈折力の第１レンズ群、負の屈折力の第２レンズ群、負の屈折力の第３レンズ群、正の屈折力の第４レンズ群、正の屈折力の第５レンズ群から構成されている。そしてズーミングに際して第１レンズ群と第５レンズ群を不動とし、第２レンズ群と第３レンズ群と第４レンズ群が移動するレンズ構成のズームレンズを開示している。
【先行技術文献】
【特許文献】
【０００５】
【特許文献１】特開平１−１２６６１４号公報
【特許文献２】特開平８−２３４１０５号公報
【特許文献３】特開２０１１−１０７６９３号公報
【発明の概要】
【発明が解決しようとする課題】
【０００６】
前述した構成の５群ズームレンズにおいて、広画角化及び高ズーム比化を維持しつつ、高い光学性能を得るには各レンズ群の屈折力、ズーミングの際の移動条件等を適切に設定することが重要になってくる。
【０００７】
特に第１レンズ群の屈折力や変倍レンズ群としての第２、第３、第４レンズ群の屈折力、そして第４レンズ群の結像倍率等を適切に設定することが重要になってくる。また、全系の小型化及び軽量化を図りつつ、全ズーム範囲にわたり高い光学性能を得るには、広角端から中間のズーム位置に至る第３レンズ群と第４レンズ群の移動条件を適切に設定することが重要になってくる。これらの構成を適切に設定しないと、広画角かつ高ズーム比で全ズーム範囲にわたり高い光学性能のズームレンズを得るのが難しくなってくる。
【０００８】
特許文献１のズームレンズは、第３レンズ群と第４レンズ群の合成屈折力が負であり、第１レンズ群の像側のレンズ群の有効径が大きくなり、全系の小型化を図りつつ広画角化するのが難しい。特許文献２のズームレンズは第３レンズ群の負の屈折力が第２レンズ群に比べて強すぎて、ズーミングに伴う諸収差の変動が大きくなり、また第１レンズ群の有効径が大きくなり全系の小型化が難しい。
【０００９】
本発明は広画角、高ズーム比でしかも全ズーム範囲にわたり高い光学性能を有し、全系が小型のズームレンズ及びそれを有する撮像装置の提供を目的とする。
【課題を解決するための手段】
【００１０】
本発明のズームレンズは、物体側から像側へ順に、ズーミングのためには不動の正の屈折力の第１レンズ群、変倍に際して移動する負の屈折力の第２レンズ群、変倍に際して移動する負の屈折力の第３レンズ群、変倍に際して移動する正の屈折力の第４レンズ群、ズーミングのためには不動の正の屈折力の第５レンズ群を有するズームレンズにおいて、
前記第１レンズ群の焦点距離をｆ１、前記第２レンズ群の焦点距離をｆ２、前記第３レンズ群の焦点距離をｆ３、前記第４レンズ群の焦点距離をｆ４、広角端における前記第４レンズ群の結像倍率をβ４ｗとするとき、
−３．５＜ｆ１／ｆ２＜−１．０
−０．４０＜ｆ４／ｆ３＜−０．０１
−０．５０＜ｆ１／ｆ３＜−０．０１
｜１／β４ｗ｜＜０．５
なる条件式を満足することを特徴としている。
【発明の効果】
【００１１】
本発明によれば、広画角、高ズーム比でしかも全ズーム範囲にわたり高い光学性能を有し、全系が小型のズームレンズが得られる。
【図面の簡単な説明】
【００１２】
【図１】実施例１のズームレンズの広角端におけるレンズ断面図である。
【図２】（Ａ）、（Ｂ）、（Ｃ）  実施例１の広角端、焦点距離２９．７ｍｍ、望遠端における収差図である。
【図３】実施例２のズームレンズの広角端におけるレンズ断面図である。
【図４】（Ａ）、（Ｂ）、（Ｃ）  実施例２の広角端、焦点距離４５．６ｍｍ、望遠端における収差図である。
【図５】実施例３のズームレンズの広角端におけるレンズ断面図である。
【図６】（Ａ）、（Ｂ）、（Ｃ）  実施例３の広角端、焦点距離４１．３ｍｍ、望遠端における収差図である。
【図７】実施例４のズームレンズの広角端におけるレンズ断面図である。
【図８】（Ａ）、（Ｂ）、（Ｃ）  実施例４の広角端、焦点距離４７．４ｍｍ、望遠端における収差図である。
【図９】実施例５のズームレンズの広角端におけるレンズ断面図である。
【図１０】（Ａ）、（Ｂ）、（Ｃ）  実施例５の広角端、焦点距離５７．３ｍｍ、望遠端における収差図である。
【図１１】実施例６のズームレンズの広角端におけるレンズ断面図である。
【図１２】（Ａ）、（Ｂ）、（Ｃ）  実施例６の広角端、焦点距離７７．３ｍｍ、望遠端における収差図である。
【図１３】本発明のズームレンズの近軸屈折力配置の概略図である。
【図１４】本発明の実施例４における広角端、ズーム中間、望遠端における軸上光線と軸外光線の変化を表した光路図である。
【図１５】本発明のズームレンズのズーミングにおける移動軌跡を表した概略図である。
【図１６】本発明の撮像装置の要部概略図である。
【発明を実施するための形態】
【００１３】
以下に本発明の実施の形態を添付の図面に基づいて詳細に説明する。本発明のズームレンズ（ズームレンズが有する複数のレンズ群）は、物体側から像側へ順に、次のとおりである。
【００１４】
ズーミングのためには不動の正の屈折力の第１レンズ群、変倍用の（変倍に際して移動する）負の屈折力の第２レンズ群、変倍用の（変倍に際して移動する）負の屈折力の第３レンズ群から構成される。更に変倍に伴う像面変動を補正するために移動する（変倍に際して移動する）正の屈折力の第４レンズ群、ズーミングのためには不動の正の屈折力の第５レンズ群から構成される。
【００１５】
図１は本発明の実施例１としての数値実施例１の広角端（短焦点距離端）で、無限遠に合焦しているときのレンズ断面図である。図２（Ａ）、（Ｂ）、（Ｃ）は、数値実施例１の広角端、ｆ＝２９．７ｍｍ（後述する数値実施例をｍｍ単位で表したとき、以下同じである。）、望遠端（長焦点距離端）における無限遠に合焦しているときの縦収差図である。数値実施例１はズーム比２．８０、Ｆナンバー２．８０である。
【００１６】
図３は本発明の実施例２としての数値実施例２の広角端で、無限遠に合焦しているときのレンズ断面図である。図４（Ａ）、（Ｂ）、（Ｃ）は、数値実施例２の広角端、ｆ＝４５．６ｍｍ、望遠端における無限遠に合焦しているときの縦収差図である。数値実施例２はズーム比４．５０、Ｆナンバー２．８０である。
【００１７】
図５は本発明の実施例３としての数値実施例３の広角端で、無限遠物体に合焦しているときのレンズ断面図である。図６（Ａ）、（Ｂ）、（Ｃ）は、数値実施例３の広角端、ｆ＝４１．３ｍｍ、望遠端における無限遠物体に合焦しているときの縦収差図である。数たち実施例３はズーム比４．００、Ｆナンバー２．８０である。
【００１８】
図７は本発明の実施例４としての数値実施例４の広角端で、無限遠物体に合焦しているときのレンズ断面図である。図８（Ａ）、（Ｂ）、（Ｃ）は、数値実施例４の広角端、ｆ＝４７．４ｍｍ、望遠端における無限遠物体に合焦しているときの縦収差図である。数値実施例４はズーム比４．８０、Ｆナンバー２．８０である。
【００１９】
図９は本発明の実施例５としての数値実施例５の広角端で、無限遠物体に合焦しているときのレンズ断面図である。図１０（Ａ）、（Ｂ）、（Ｃ）は、数値実施例５の広角端、ｆ＝５７．３ｍｍ、望遠端における無限遠物体に合焦しているときの縦収差図である。数値実施例５はズーム比３．３０、Ｆナンバー２．８０である。
【００２０】
図１１は本発明の実施例６としての数値実施例６の広角端で、無限遠物体に合焦しているときのレンズ断面図である。図１２（Ａ）、（Ｂ）、（Ｃ）は、数値実施例６の広角端、ｆ＝７７．３ｍｍ、望遠端における無限遠物体に合焦しているときの縦収差図である。数値実施例６はズーム比３．００、Ｆナンバー２．８０である。
【００２１】
図１３は本発明のズームレンズに係る近軸屈折力配置の説明図である。図１４（Ａ），（Ｂ），（Ｃ）は本発明の実施例４の広角端，中間のズーム位置，望遠端における軸上光線と軸外光線の光路の説明図である。図１５は本発明のズームレンズの広角端から望遠端へのズーミングにおける各レンズ群の移動軌跡の説明図である。図１６は本発明の撮像装置の要部概略図である。
【００２２】
図１５のズーミングにおける各レンズ群の移動軌跡及び各レンズ断面図において、左方が被写体（物体）側（前方）で、右方が像側（後方）である。Ｕ１はズーミングのためには不動の正の屈折力の第１レンズ群である。Ｕ２は変倍用の負の屈折力の第２レンズ群（バリエータ）であり、光軸上を像面側へ直線的に移動させることにより、広角端から望遠端への変倍を行っている。Ｕ３は変倍用の負の屈折力の第３レンズ群（バリエータ）であり、広角端から望遠端にかけて、像側に凸状の軌跡で光軸上を非直線的に移動する。
【００２３】
Ｕ４は正の屈折力の第４レンズ群（コンペンセータ）であり、変倍に伴う像面変動を補正するために像側に凸状の軌跡で光軸上を非直線的に移動する。ＳＰは開口絞り、Ｕ５はズーミングのためには不動の結像作用を有する正の屈折力の第５レンズ群（リレー群）である。第５レンズ群Ｕ５内には、焦点距離変換用のコンバータ（エクステンダ）等が装着されても良い。Ｉは像面であり、固体撮像素子の撮像面に相当している。
【００２４】
各収差図において、球面収差における実線と破線は各々ｅ線，g線である。非点収差における実線と一点鎖線は各々ｅ線におけるサジタル像面，メリディオナル像面であり、倍率色収差はｇ線によって表している。ωは近軸での半画角（度）、ＦｎｏはＦナンバーである。縦収差図において、球面収差は０．４ｍｍ、非点収差は０．４ｍｍ、歪曲は１０％、倍率色収差は０．１ｍｍのスケールで描かれている。
【００２５】
尚、以下の各実施例において広角端と望遠端は変倍用レンズ群が機構上、光軸上を移動可能な範囲の両端に位置したときのズーム位置をいう。
【００２６】
各実施例のズームレンズは、物体側から像側へ順に、ズーミングのためには不動の正の屈折力の第１レンズ群Ｕ１、変倍用の負の屈折力の第２レンズ群Ｕ２、変倍用の負の屈折力の第３レンズ群Ｕ３を有する。更に変倍に伴う像面変動を補正するために移動する正の屈折力の第４レンズ群Ｕ４を有する。更にズーミングのためには不動の正の屈折力の第５レンズ群Ｕ５から構成されている。
【００２７】
第１レンズ群Ｕ１の焦点距離をｆ１、第２レンズ群Ｕ２の焦点距離をｆ２、第３レンズ群Ｕ３の焦点距離をｆ３、第４レンズ群Ｕ４の焦点距離をｆ４とする。広角端における第４レンズ群Ｕ４の結像倍率をβ４ｗとする。このとき、
−３．５＜ｆ１／ｆ２＜−１．０      ・・・（１）
−０．４０＜ｆ４／ｆ３＜−０．０１  ・・・（２）
−０．５０＜ｆ１／ｆ３＜−０．０１  ・・・（３）
｜１／β４ｗ｜＜０．５              ・・・（４）
なる条件式を満足している。
【００２８】
各実施例において、広角端における全系の焦点距離をｆｗ、ズーム比をＺとし、
ｆｍ＝ｆｗ×Ｚ０．６      ・・・（Ｐ）
を満たす焦点距離ｆｍとなる中間ズーム位置をズーム位置ｍとする。
【００２９】
またズーム比Ｚは広角端における全系の焦点距離をｆｗ、望遠端における全系の焦点距離をｆｔとする。このとき、
Ｚ＝ｆｔ／ｆｗ
で表されるものである。前述した５つのレンズ群より構成される５群ズームレンズにおいて、前述した式（Ｐ）で特定されるズーム位置ｍにおける焦点距離ｆｍは、第１レンズ群の焦点距離をｆ１、ズーム位置ｍにおける第Ｎレンズ群（Ｎ＝２〜５）の横倍率をβＮｍとする。このとき以下の式で表すことができる。
【００３０】
ｆｍ＝ｆ１×（β２ｍ×β３ｍ×β４ｍ×β５ｍ）  ・・・（Ｘ）
ただし、各横倍率および焦点距離は、物体距離が無限遠での値である。あわせて、ズームレンズであることから、変倍に関わらず像点が一定の条件を満たす必要がある。また、第５レンズ群はズーミングのためには不動であることから横倍率β５ｍはズーミングに際し変化しない。
【００３１】
したがって、所定の焦点距離ｆｍを得るためには（β２ｍ×β３ｍ×β４ｍ）が一定であればよい。しかしながら、その条件を達成可能なレンズ群配置は一義的に決まらないため、所定のズーム範囲で各変倍用の移動レンズ群の移動軌跡を選択できる。第１レンズ群Ｕ１と第２レンズ群Ｕ２の間隔を狭めることは、横倍率｜β２ｍ｜を小さくすることに相当する。
【００３２】
そこで本発明のズームレンズでは、中間のズーム位置ｍを含むズーム域において、第１レンズ群Ｕ１と第２レンズ群Ｕ２の間隔を狭めながら、第３レンズ群Ｕ３と第４レンズ群Ｕ４の間隔を広げている。これにより、全系の像点を一定に保ち、かつ横倍率β３ｍ×β４ｍの値を増大させる光学配置をとっている。
【００３３】
ズーミングにおける第２レンズ群Ｕ２の移動量を抑制すると式（Ｘ）における横倍率β２ｍの絶対値は小さくなる。このため、焦点距離ｆｍを一定にするためには横倍率β３ｍ×β４ｍの値を増大させる必要がある。焦点距離がそれぞれｆａ、ｆｂ、主点間隔がｅ’である２つのレンズの合成焦点距離ｆａｂは以下の式で表すことができる。
【００３４】
１／ｆａｂ＝１／ｆａ＋１／ｆｂ−ｅ’／（ｆａ×ｆｂ）  ・・・（Ｙ）
ここで、ｆａ＜０、ｆｂ＞０、ｅ’＞０かつ｜ｆａ｜＞｜ｆｂ｜の場合、主点間隔ｅ’を大きくすると合成焦点距離ｆａｂは小さくなる。
【００３５】
いま、上記（Ｙ）式における焦点距離ｆａ、ｆｂを本発明のズームレンズにおける第３レンズ群Ｕ３、第４レンズ群Ｕ４とする。そうすると、第３レンズ群Ｕ３、第４レンズ群Ｕ４の合成焦点距離ｆ３４ｍは第３レンズ群Ｕ３と第４レンズ群Ｕ４の間隔が広がる程小さくなる。
【００３６】
図１３に、本発明のズームレンズにおける、あるズーム位置での第３レンズ群Ｕ３と第４レンズ群Ｕ４の合成焦点距離と横倍率の関係の概略図を示す。図１３中の矢印で示す部材は第３レンズ群Ｕ３と第４レンズ群Ｕ４の合成レンズ群を表しており、矢印で示すｆＬ、ｆＳはそれぞれ合成焦点距離が長い合成レンズ群、短い合成レンズ群である。Ｏｂｊは物点、Ｉｍｇは像点である。ｓＬ、ｓＳはそれぞれ合成焦点距離ｆＬ、ｆＳの物点からの距離であり、ｓ’Ｌ、ｓ’Ｓはそれぞれ合成焦点距離ｆＬ、ｆＳの像点からの距離である。
【００３７】
図１３において、横倍率の絶対値｜β｜は、合成焦点距離ｆＬ、ｆＳにおいてそれぞれｓＬ／ｓ’Ｌ、ｓＳ／ｓ’Ｓと表される。図１３から明らかなように、合成レンズ群の物点および像点を一定とするように合成レンズ群を配置すると、合成レンズ群の焦点距離が小さいときに横倍率の絶対値｜β｜が大きくなる。
【００３８】
図１３に示すように、本発明のズームレンズにおいては、第３レンズ群Ｕ３と第４レンズ群Ｕ４の合成焦点距離が小さくすることで、第３レンズ群Ｕ３と第４レンズ群Ｕ４の合成横倍率を増大させることができる。すなわち、第３レンズ群Ｕ３と第４レンズ群Ｕ４の間隔を広げることで、全レンズ系の焦点距離を一定に保ちながら第２レンズ群Ｕ２を像側に繰り出さないような屈折力配置をとることができる。
【００３９】
図１４（実施例４）に示すように、第１レンズ群Ｕ１における軸外光線の入射高が最も高くなる中間のズーム位置（ズーム中間）ｍにおいて、第１レンズ群Ｕ１と第２レンズ群Ｕ２の間隔を小さくする。これにより、軸外光線の入射高を小さくして第１レンズ群Ｕ１の有効径を軽減している。あるレンズユニットｉにおける球面収差ＳＡｉは、以下の（Ｚ）式の関係を満足する。
【００４０】
ＳＡｉ∝Ｉｉ∝ｈｉ４  ・・・（Ｚ）
ここで、Ｉｉはレンズユニットｉの球面収差係数であり、ｈｉはレンズユニットｉにおける軸上光束の入射高さである。また、全系の球面収差は以下の（Ｚ−２）式で表される。
【００４１】
ＳＡ＝ΣＳＡｉ      ・・・（Ｚ−２）
ズーム配置によってレンズへの軸上光束の入射高さｈｉが変化するため、球面収差ＳＡｉはズーミングに際して変化する。一般的に、ズームレンズでは、広角端と望遠端とで球面収差ＳＡｉを０とするような球面収差係数Ｉｉを決定することで、球面収差を軽減している。
【００４２】
図１４に示すように、本発明のズームレンズにおいては、第４レンズ群Ｕ４から射出する光線が略アフォーカルであることから、第３レンズ群Ｕ３と第４レンズ群Ｕ４の合成レンズ群ではズーミングに際して入射高さｈｉが変わらない。入射高さｈｉがズーミングに際して大きく変化するレンズ群は第１レンズ群Ｕ１および第２レンズ群Ｕ２である。第１レンズ群Ｕ１への入射高さｈ１は焦点距離に比例して広角端から望遠端にかけて増大している。
【００４３】
これに対して、第２レンズ群Ｕ２への入射高さｈ２は第１レンズ群Ｕ１と第２レンズ群Ｕ２の間隔が離れるので、入射高さｈ１より増大する割合が小さい。よって、広角端と望遠端で球面収差ＳＡｉを０とすると、ズーム位置ｍでは球面収差ＳＡｉが０とならず、球面収差がオーバーに残存してしまう。
【００４４】
図１５は本発明のズームレンズにおけるズーミングに際しての移動軌跡を表した概略図である。広角端に対してズーム位置ｍで第３レンズ群Ｕ３と第４レンズ群Ｕ４の間隔を広げることで、第３レンズ群Ｕ３への入射高さｈ３を小さく抑え、球面収差をアンダーに補正することで、ズーム位置ｍでの球面収差の残存を軽減している。
【００４５】
条件式（１）は第１レンズ群Ｕ１の焦点距離ｆ１と第２レンズ群Ｕ２の焦点距離ｆ２との比に関する。条件式（１）を満足することで、広画角化を図りつつ、第１レンズ群Ｕ１のレンズ有効径の小型化およびレンズ全長の短縮化を図っている。
【００４６】
条件式（１）の上限を超えて、第１レンズ群Ｕ１の焦点距離が小さくなり、第１レンズ群Ｕ１の屈折力が強くなりすぎると、ズーミングに際しての収差変動の補正が困難となる。また、第１レンズ群Ｕ１に対して第２レンズ群Ｕ２の負の屈折力が不足するため、ズーミングに際しての第２レンズ群Ｕ２の移動量（ズームストローク）が増大する。そしてレンズ全長（第１レンズ面から最終レンズ面までの距離にバックフォーカス（最終レンズ面から像面までの空気換算距離）を加えた値）が増大してくる。
【００４７】
逆に、条件式（１）の下限を超えて、第１レンズ群Ｕ１の焦点距離が大きくなり、第１レンズ群Ｕ１の屈折力が不足すると、広画角化や全系の小型軽量化が困難となる。条件式（２）は第３レンズ群Ｕ３の焦点距離ｆ３に対する第４レンズ群Ｕ４の焦点距離ｆ４の比に関する。条件式（２）を満足することで、レンズ全系の小型化を図っている。条件式（２）の上限を超えて、第３レンズ群Ｕ３の焦点距離の絶対値が大きくなり、第３レンズ群の負の屈折力が弱くなると、中間のズーム位置における諸収差、特に球面収差の補正が困難となる。
【００４８】
逆に、条件式（２）の下限を超えて、第３レンズ群Ｕ３の焦点距離の絶対値が小さくなり、第３レンズ群の負の屈折力が大きくなりすぎると、第３レンズ群Ｕ３の光軸方向の移動に対するピント位置の変動（ピントボケ）が多くなり、光学性能が低下してくる。条件式（３）は第１レンズ群Ｕ１の焦点距離ｆ１と第３レンズ群Ｕ３の焦点距離ｆ３との比に関する。条件式（３）を満足することで、レンズ全系の小型化を図りつつ、ズーム全域において良好な光学性能を得ている。
【００４９】
条件式（３）の下限を超えて、第３レンズ群Ｕ３の焦点距離の絶対値が小さくなり、第３レンズ群Ｌ３の負の屈折力が強くなりすぎると、ズーミングに際して収差変動が大きくなってくる。逆に、条件式（３）の上限を超えて、第３レンズ群Ｕ３の焦点距離の絶対値が大きくなり、第３レンズ群Ｕ３の負の屈折力が弱くなりすぎると、ズーミングにおける第３レンズ群Ｕ３のズームストロークが増大し、レンズ全長が増大してくる。
【００５０】
条件式（４）は無限遠より光束が入射する際の広角端における第４レンズ群Ｕ４の横倍率β４ｗの逆数を規定したものである。条件式（４）を満たすことで、第４レンズ群Ｕ４からの射出光束が略アフォーカルとなるため、第５レンズ群Ｕ５の構成レンズ枚数を少なくすることが容易となり、これにより全系の小型化及び軽量化を図っている。条件式（４）の上限を超えると、第５レンズ群Ｕ５を強い正の屈折力とする必要となるため、第５レンズ群Ｕ５の構成レンズ枚数が多くなり、全系の小型化及び軽量化が困難となる。更に好ましくは条件式（１）乃至条件式（４）の数値範囲を次の如く設定するのが良い。
【００５１】
−３．３＜ｆ１／ｆ２＜−１．０      ・・・（１ａ）
−０．３８＜ｆ４／ｆ３＜−０．０３  ・・・（２ａ）
−０．４０＜ｆ１／ｆ３＜−０．０２  ・・・（３ａ）
｜１／β４ｗ｜＜０．３              ・・・（４ａ）
各実施例において、更に好ましくは次の条件式を満足するのが良い。
【００５２】
広角端における第３レンズ群Ｕ３と第４レンズ群Ｕ４の間隔をＬ３ｗとする。式（Ｐ）で表されるズーム位置ｍにおける第３レンズ群Ｕ３と第４レンズ群Ｕ４の間隔をＬ３ｍとする。このとき、
０．０１＜Ｌ３ｗ／Ｌ３ｍ＜１．１０  ・・・（５）
なる条件式を満足することが好ましい。
【００５３】
条件式（５）は広角端とズーム位置ｍにおける第３レンズ群Ｕ３と第４レンズ群Ｕ４の間隔の比を規定している。条件式（５）を満足することで、レンズ全系の小型化及び軽量化とズーミングに際しての収差変動の軽減を図っている。条件式（５）の上限を超えて、広角端に対してズーム位置ｍで第３レンズ群Ｕ３と第４レンズ群Ｕ４の間隔が狭くなりすぎると、球面収差の補正が困難になる。また、ズーム位置ｍにおいて第２レンズ群Ｕ２が像側に移動しすぎてしまうため、第１レンズ群Ｕ１の小型化及び軽量化が困難になる。
【００５４】
逆に、条件式（５）の下限を越えて、広角端において第３レンズ群Ｕ３と第４レンズ群Ｕ４の間隔が狭くなりすぎると、望遠側から広角端へのズーミングに際して第３レンズ群Ｕ３と第４レンズ群Ｕ４が接近しすぎて衝突してしまうことがあるので、好ましくない。また、ズーム中間位置ｍで第３レンズ群Ｕ３と第４レンズ群Ｕ４の間隔が広くなりすぎてしまい、球面収差の補正が過剰となってくる。更に好ましくは、条件式（５）の数値範囲を次の如く設定するのが良い。
【００５５】
０．０３＜Ｌ３ｗ／Ｌ３ｍ＜１．００    ・・・（５ａ）
各実施例のズームレンズにおいて、好ましくは次の如く構成するのが良い。
【００５６】
ズーミングに際しては、広角端において第３レンズ群Ｕ３が最も物体側に位置するズーム軌跡をとることが好ましい。これによれば、第３レンズ群Ｕ３のズームストロークを短縮することができ、第１レンズ群Ｕ１および第５レンズ群Ｕ５の構成レンズ枚数を少なくすることが容易となり、レンズ全系の小型化及び軽量化が容易となる。
【００５７】
更には、負の屈折力の第３レンズ群Ｕ３は１以上の負レンズと１以上の正レンズを有することが好ましい。第３レンズ群Ｕ３に負レンズと正レンズを用いることで、ズーミングによる諸収差の変動、特に色収差の変動を効果的に補正することが容易になる。第２レンズ群Ｕ２は物体側から像側へ順に、２つの負レンズ、正レンズ、負レンズより構成されることが好ましい。第４レンズ群Ｕ４は１つの正レンズ又は２つの正レンズより構成されることが好ましい。これによればズーミングに際しての諸収差の変動を軽減するのが容易となる。
【００５８】
次に各実施例のズームレンズのレンズ構成について説明する。
［実施例１］
実施例１は数値実施例１に対応している。数値実施例１において各レンズ群のレンズ構成は次のとおりである。
【００５９】
第１レンズ群Ｕ１は、第１レンズ面乃至第１５レンズ面に対応し、物体側から像側へ順に、３つの負レンズ、２つの正レンズ、負レンズと正レンズとを接合した接合レンズ、正レンズより構成されている。第２レンズ群Ｕ２は、第１５レンズ面乃至第２３レンズ面に対応し、物体側から像側へ順に、２枚の負レンズ、正レンズ、負レンズより構成されている。第３レンズ群Ｕ３は、第２４レンズ面乃至第２６レンズ面に対応し、物体側から像側へ順に、負レンズと正レンズを接合した接合レンズより構成されている。
【００６０】
第４レンズ群Ｕ４は、第２７レンズ面乃至第３０レンズ面に対応し、物体側から像側へ順に、２枚の正レンズより構成されている。第５レンズ群Ｕ５は、第３２レンズ面乃至第４１レンズ面に対応し、物体側から像側へ順に、正レンズ、正レンズと負レンズとを接合した接合レンズ、正レンズ、正レンズと負レンズとを接合した接合レンズより構成されている。第１レンズ群Ｕ１の物体側から数えた第１番目の負レンズは非球面を有し、主に広角側において歪曲収差や像面彎曲等の補正を行っている。
【００６１】
数値実施例１は条件式（１）乃至（５）を満足している。数値実施例１は広角端の焦点距離１６．００、ズーム比２．８０と広画角化、高ズーム比化、そして全系の小型化と軽量化を達成しつつ、良好な光学性能を得ている。なお、本実施例における接合レンズは微少な空気間隔を有する分離したレンズとして構成していてもよい。これは本発明のズームレンズにおいてレンズ形状としての変形及び変更の想定内であり、以下全ての実施例においても同様である。
【００６２】
［実施例２］
実施例２は数値実施例２に対応している。数値実施例２において各レンズ群のレンズ構成は次のとおりである。
【００６３】
第１レンズ群Ｕ１は、第１レンズ面乃至第１８レンズ面に対応し、物体側から像側へ順に、３つの負レンズ、２つの正レンズ、負レンズ、３つの正レンズより構成されている。第２レンズ群Ｕ２は、第１９レンズ面乃至第２６レンズ面に対応している。第３レンズ群Ｕ３は、第２７レンズ面乃至第２９レンズ面に対応している。第４レンズ群Ｕ４は、第３０レンズ面乃至第３３レンズ面に対応している。第２レンズ群Ｕ２、第３レンズ群Ｕ３、第４レンズ群Ｕ４の各レンズ群のレンズ構成は実施例１と同様である。
【００６４】
第５レンズ群Ｕ５は、第３５レンズ面乃至第４２レンズ面に対応し、物体側から像側へ順に、正レンズ、正レンズと負レンズとを接合した接合レンズ、正レンズと負レンズとを接合した接合レンズより構成されている。第１レンズ群Ｕ１の物体側から数えた第１場面の負レンズは非球面を有し、主に広角側において歪曲収差や像面彎曲等の補正を行っている。数値実施例２は、条件式（１）乃至条件式（５）を満足している。数値実施例２は広角端の焦点距離１８．５０ｍｍ、ズーム比４．５０と広画角化、高ズーム比化、そして全系の小型化と軽量化を図りつつ、良好なる光学性能を得ている。
【００６５】
［実施例３］
実施例３は数値実施例３に対応している。数値実施例３において各レンズ群のレンズ構成は次のとおりである。
【００６６】
第１レンズ群Ｕ１は、第１レンズ面乃至第１８レンズ面に対応し、物体側から像側へ順に、３つの負レンズ、２つの正レンズ、負レンズ、３つの正レンズより構成されている。第２レンズ群Ｕ２は、第１９レンズ面乃至第２５レンズ面に対応し、物体側から像側へ順に、負レンズ、負レンズと正レンズを接合した接合レンズ、負レンズより構成されている。第３レンズ群Ｕ３は、第２６レンズ面乃至第２８レンズ面に対応している。第３レンズ群Ｕ３のレンズ構成は実施例１と同様である。第４レンズ群Ｕ４は、第２９レンズ面、第３０レンズ面に対応し、１つの正レンズより構成されている。
【００６７】
第５レンズ群Ｕ５は第３２レンズ面乃至第４１レンズ面に対応し、物体側から像側へ順に、正レンズ、正レンズと負レンズとを接合した接合レンズ、正レンズ、正レンズと負レンズとを接合した接合レンズより構成されている。第１レンズ群Ｕ１の物体側から数えた第１番目の負レンズは非球面を有し、主に広角側において歪曲収差や像面彎曲等の補正を行っている。
【００６８】
数値実施例３は条件式（１）乃至条件式（５）を満足している。数値実施例３は広角端の焦点距離１８．００ｍｍ、ズーム比４．００と広画角化、高ズーム比化、そして全系の小型化と軽量化を図りつつ、良好なる光学性能を得ている。
【００６９】
［実施例４］
実施例４は数値実施例４に対応している。数値実施例４において各レンズ群のレンズ構成は次のとおりである。
【００７０】
第１レンズ群Ｕ１は、第１レンズ面乃至第１８レンズ面に対応し、物体側から像側へ順に、３つの負レンズ、正レンズ、負レンズと正レンズとを接合した接合レンズ、負レンズと正レンズとを接合した接合レンズ、２つの正レンズより構成されている。第２レンズ群Ｕ２は、第１９レンズ面乃至第２６レンズ面に対応している。第３レンズ群Ｕ３は、第２７レンズ面乃至第２９レンズ面に対応している。第４レンズ群Ｕ４は、第３０レンズ面乃至第３３レンズ面に対応している。第２レンズ群Ｕ２、第３レンズ群Ｕ３、第４レンズ群Ｕ４のレンズ構成は実施例１と同じである。
【００７１】
第５レンズ群Ｕ５は、第３５レンズ面乃至第４２レンズ面に対応し、物体側から像側へ順に正レンズ、正レンズと負レンズとを接合した接合レンズ、正レンズと負レンズとを接合した接合レンズより構成されている。第１レンズ群Ｕ１の物体側から数えた第１番目の負レンズと第１０番目の正レンズは非球面を有している。第１レンズでは主に広角側において歪曲収差や像面彎曲の補正を行っており、第１０レンズでは主にズーム位置ｍから望遠側にかけて歪曲収差や像面彎曲等の補正を行っている。
【００７２】
数値実施例４は、条件式（１）乃至条件式（５）を満足している。数値実施例４は広角端の焦点距離１８．５０ｍｍ、ズーム比４．８０と広画角化、高ズーム比化そして全系の小型化と軽量化を図りつつ、良好なる光学性能を得ている。
【００７３】
［実施例５］
実施例５は数値実施例５に対応している。数値実施例５において各レンズ群のレンズ構成は次のとおりである。
【００７４】
第１レンズ群Ｕ１は、第１レンズ面乃至第１６レンズ面に対応し、物体側から像側へ順に、３つの負レンズ、正レンズ、負レンズと正レンズとを接合した接合レンズ、負レンズと正レンズとを接合した接合レンズ、正レンズより構成されている。第２レンズ群Ｕ２は、第１７レンズ面乃至第２４レンズ面に対応している。第２レンズ群Ｕ２のレンズ構成は実施例１と同様である。第３レンズ群Ｕ３は、第２５レンズ面乃至第２６レンズ面に対応しており、１枚の負レンズにて構成されている。
【００７５】
第４レンズ群Ｕ４は、第２７レンズ面乃至第３０レンズ面に対応している。第４レンズ群Ｕ４のレンズ構成は実施例１と同じである。第５レンズ群Ｕ５は第３２レンズ面乃至第４１レンズ面に対応し、物体側から像側へ順に正レンズ、負レンズ、３つの正レンズより構成されている。
【００７６】
数値実施例５は条件式（１）乃至条件式（５）を満足している。本実施例は、非球面レンズを用いていない。数値実施例５は広角端の焦点距離２８．００ｍｍ、ズーム比３．３０と、広画角化、高ズーム比、そして全系の小型化と軽量化を図りつつ、良好なる光学性能を得ている。
【００７７】
［実施例６］
実施例６は数値実施例６に対応している。数値実施例６において各レンズ群のレンズ構成は次のとおりである。
【００７８】
第１レンズ群Ｕ１は、第１レンズ面乃至第９レンズ面に対応し、物体側から像側へ順に、負レンズ、２つの正レンズ、負レンズと正レンズとを接合した接合レンズより構成されている。第２レンズ群Ｕ２は、第１０レンズ面乃至第１７レンズ面に対応している。第３レンズ群Ｕ３は、第１８レンズ面乃至第２０レンズ面に対応している。第４レンズ群Ｕ４は、第２１レンズ面乃至第２４レンズ面に対応している。第２レンズ群Ｕ２、第３レンズ群Ｕ３、第４レンズ群Ｕ４の各レンズ群のレンズ構成は実施例１と同じである。
【００７９】
第５レンズ群Ｕ５は、第２６レンズ面乃至第３５レンズ面に対応し、物体側から像側へ順に、正レンズ、負レンズ、正レンズ、負レンズ、正レンズより構成されている。数値実施例６は条件式（１）乃至条件式（５）を満足している。数値実施例６は非球面レンズを用いていない。数値実施例６は広角端の焦点距離４０．００ｍｍ、ズーム比３．００と高ズーム比化、そして全系の小型化と軽量化を図りつつ、良好なる光学性能を得ている。
【００８０】
図１６は、本発明の実施例１〜６のズームレンズを撮影光学系として用いた撮像装置（テレビカメラシステム）の要部概略図である。図１６において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第５レンズ群Ｒを有している。第１レンズ群Ｆは合焦用レンズ群が含まれている。
【００８１】
変倍部ＬＺは変倍のために光軸上を移動する第２レンズ群と第３レンズ群と、変倍に伴う像面変動を補正するために光軸上を移動する第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００８２】
１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００８３】
このように本発明のズームレンズをテレビカメラに適用することにより、高い光学性能を有する撮像装置を実現している。
【００８４】
以上、本発明の好ましい実施形態について説明したが、本発明はこれらの実施形態に限定されず、その要旨の範囲内で種々の変形及び変更が可能である。
【００８５】
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。焦点距離、Ｆナンバー、画角は、それぞれ無限遠に焦点を合わせたときの値を表している。ＢＦはバックフォーカスであり、最終レンズ面から像面までの距離である。
【００８６】
尚、非球面形状は、光軸方向の座標をｘ、光軸と垂直方向の座標をｙ、基準の曲率半径をＲ、円錐常数をK、ｎ次の非球面係数をAnとして、以下の式で表される。但し、「e-x」は「×10-x」を意味している。尚、非球面を有するレンズ面には各表中の面番号の左側に*印を付している。
【００８７】
ｘ＝（ｙ２／ｒ）／｛１＋（１−Ｋ・ｙ２／ｒ２）０．５｝＋A４・ｙ４＋A６・ｙ６＋A８・ｙ８
各実施例と前述した各条件式との対応を表１に示す。 
【００８８】
数値実施例１
単位 mm
面データ
i           ri       di      ndi      νdi       有効径
1*        98.922    3.00   1.77250    49.6       71.07
2         34.520   16.19                         56.30
3        622.697    2.00   1.77250    49.6       54.29
4         47.162   15.60                         49.88
5        -93.891    2.00   1.58913    61.1       49.92
6       -335.217    3.43                         50.84
7        103.483    6.93   1.84666    23.8       54.14
8     -21659.162    5.08                         54.25
9        197.856    8.61   1.49700    81.5       54.91
10        -92.408   12.03                         54.87
11        178.972    2.00   1.80518    25.4       49.36
12         46.089   13.75   1.49700    81.5       47.48
13        -73.628    0.20                         47.21
14         50.705    6.17   1.58913    61.1       43.01
15        376.351  (可変)                         41.78
16       -285.631    1.20   1.69680    55.5       24.00
17         29.768    4.71                         21.68
18        -42.443    1.20   1.49700    81.5       20.99
19        133.554    1.55                         21.66
20         42.295    5.13   1.80518    25.4       22.82
21        -69.416    0.44                         22.75
22        -51.981    1.20   1.88300    40.8       22.71
23         73.039  (可変)                         22.86
24        164.776    1.40   1.83400    37.2       23.65
25         33.333    3.68   1.49700    81.5       24.09
26       -130.827  (可変)                         24.39
27       -767.536    3.00   1.51742    52.4       25.15
28        -99.027    0.20                         25.83
29         53.091    3.28   1.78800    47.4       26.70
30        146.465  (可変)                         26.58
31(絞り)    ∞       4.81                         26.71
32         71.591    8.94   1.49700    81.5       26.96
33        -49.073    6.52                         26.38
34        -50.635    4.61   1.80809    22.8       23.24
35        -29.140    1.20   1.90366    31.3       23.16
36        -73.297   17.89                         23.72
37        769.851    4.24   1.49700    81.5       27.01
38        -53.620    0.20                         27.26
39         70.780    8.07   1.49700    81.5       26.91
40        -30.776    1.20   2.00100    29.1       26.14
41       -272.653   39.04                         26.49
像面        ∞   
【００８９】
非球面データ
第1面
K=0.00000e+000  A 4= 8.88027e-007  A 6= 7.65623e-013  A 8= 2.73179e-014
各種データ
ズーム比      2.80 
広角     中間     望遠
焦点距離      16.00    29.68    44.80  
Fナンバー      2.80     2.80     2.80  
半画角（度）  43.15    26.81    18.51  
像高          15.00    15.00    15.00  
レンズ全長   263.54   263.54   263.54  
BF            39.04    39.04    39.04  
d15            2.00    24.82    34.17  
d23           21.62    12.07     2.59  
d26            1.10     1.68     1.10  
d30           18.11     4.26     4.97  
入射瞳位置    38.27    48.82    56.46  
射出瞳位置   -51.86   -51.86   -51.86  
前側主点位置  51.45    68.81    79.18  
後側主点位置  23.04     9.36    -5.76  
ズームレンズ群データ
群  始面    焦点距離  レンズ構成長  前側主点位置  後側主点位置
1    1      33.95        97.00        51.95         45.56
2   16     -23.40        15.44         3.67         -7.00
3   24    -800.00         5.08        -3.64         -6.91
4   27      70.00         6.48         1.50         -2.47
5   31      67.77        57.68        13.90        -34.38
単レンズデータ
レンズ  始面  焦点距離
1       1    -69.73
2       3    -65.84
3       5   -221.20
4       7    120.47
5       9    127.63
6      11    -76.90
7      12     59.13
8      14     98.39
9      16    -38.46
10      18    -64.47
11      20     33.02
12      22    -34.04
13      24    -50.03
14      25     53.69
15      27    218.41
16      29    103.54
17      32     59.89
18      34     76.69
19      35    -53.82
20      37    100.74
21      39     44.20
22      40    -34.46
【００９０】
数値実施例２
単位 mm
面データ
i           ri       di      ndi      νdi       有効径
1*       124.234    3.00   1.77250    49.6       76.58
2         40.427   14.06                         62.55
3        252.185    2.00   1.77250    49.6       61.87
4         99.919   10.43                         59.84
5       -106.522    2.00   1.72916    54.7       59.36
6       -365.973    2.81                         59.79
7         87.994    4.73   1.84666    23.8       62.89
8        173.386    6.01                         62.70
9       1289.383    6.92   1.49700    81.5       63.18
10       -112.937   15.65                         63.34
11        188.659    2.00   1.84666    23.8       60.79
12         67.883    0.72                         59.59
13         73.108   10.93   1.49700    81.5       59.70
14       -219.377    0.20                         59.78
15        106.411   10.44   1.49700    81.5       59.81
16       -114.967    0.20                         59.76
17         59.611    6.35   1.64000    60.1       56.30
18        147.908  (可変)                         55.19
19        134.806    1.20   1.80400    46.6       24.42
20         25.785    4.85                         22.84
21        -44.380    1.20   1.72916    54.7       22.77
22        163.669    0.49                         23.31
23         62.976    3.59   1.95906    17.5       23.80
24       -149.120    1.67                         23.82
25        -37.280    1.20   1.80400    46.6       23.80
26        426.445  (可変)                         24.54
27        389.122    1.40   1.83400    37.2       25.71
28         44.946    4.12   1.43875    94.9       26.39
29        -84.649  (可変)                         26.89
30        162.480    3.70   1.51742    52.4       28.55
31       -111.390    0.20                         29.15
32         76.753    3.06   1.72916    54.7       29.91
33        401.117  (可変)                         29.90
34(絞り)    ∞       1.29                         29.95
35         30.711    5.62   1.49700    81.5       30.20
36       -534.412   13.01                         29.71
37         54.500    5.55   1.80809    22.8       23.29
38        -45.153    1.20   1.90366    31.3       22.54
39         21.216    2.79                         21.33
40         25.390    9.25   1.49700    81.5       23.40
41        -19.033    1.20   2.00330    28.3       23.58
42        -34.297   46.93                         24.87
像面        ∞   
【００９１】
非球面データ
第1面
K =0.00000e+000  A 4= 2.39488e-007  A 6= 5.58641e-011  A 8=-1.39473e-014
各種データ
ズーム比      4.50 
広角     中間     望遠
焦点距離      18.50    45.61    83.25  
Fナンバー      2.80     2.80     2.80  
半画角（度）  39.04    18.20    10.21  
像高          15.00    15.00    15.00  
レンズ全長   263.78   263.78   263.78  
BF            46.93    46.93    46.93  
d18            1.18    33.33    43.78  
d26           24.59    14.48     2.49  
d29            1.10     2.07     1.09  
d33           24.91     1.90     4.41  
入射瞳位置    47.55    78.59   104.52  
射出瞳位置   -32.39   -32.39   -32.39  
前側主点位置  61.73    97.97   100.40  
後側主点位置  28.43     1.32   -36.32  
ズームレンズ群データ
群  始面    焦点距離  レンズ構成長  前側主点位置  後側主点位置
1    1      43.70        98.45        58.77         35.91
2   19     -19.00        14.21         4.29         -5.70
3   27    -700.00         5.52        -8.52        -12.31
4   30      64.40         6.96         1.84         -2.57
5   34      73.48        39.92        -1.41        -33.77
単レンズデータ
レンズ  始面  焦点距離
1       1    -78.43
2       3   -214.43
3       5   -205.85
4       7    203.76
5       9    208.67
6      11   -124.97
7      13    111.39
8      15    112.63
9      17    151.15
10      19    -39.65
11      21    -47.56
12      23     45.94
13      25    -42.37
14      27    -60.66
15      28     67.40
16      30    127.73
17      32    129.09
18      35     58.46
19      37     31.02
20      38    -15.72
21      40     23.45
22      41    -44.01
【００９２】
数値実施例３
単位 mm
面データ
i           ri       di      ndi      νdi       有効径
1*        85.749    3.00   1.77250    49.6       74.65
2         36.462   14.75                         60.37
3        171.789    2.00   1.77250    49.6       59.39
4         64.540   13.53                         56.09
5        -71.013    2.00   1.72916    54.7       55.70
6       -140.086    1.88                         56.68
7         84.787    4.55   1.84666    23.8       58.85
8        179.793    5.53                         58.59
9       1137.212    6.54   1.49700    81.5       58.74
10       -113.122   15.78                         58.85
11        290.054    2.00   1.84666    23.8       55.83
12         72.021    0.80                         54.97
13         78.809    9.39   1.49700    81.5       55.13
14       -203.488    0.20                         55.27
15        191.082    8.53   1.49700    81.5       55.10
16        -89.148    0.20                         54.99
17         56.118    6.68   1.64000    60.1       53.22
18        175.966  (可変)                         52.25
19        101.901    1.20   1.77250    49.6       24.65
20         29.847    5.18                         23.35
21        -44.919    1.20   1.75500    52.3       23.12
22        145.527    3.36   1.95906    17.5       23.55
23        -75.550    1.25                         23.74
24        -35.941    1.20   1.77250    49.6       23.72
25       -701.073  (可変)                         24.47
26        222.397    1.40   1.83400    37.2       25.72
27         30.023    4.44   1.48749    70.2       26.39
28       -355.457  (可変)                         26.92
29         57.085    4.35   1.59522    67.7       29.76
30        -83.397  (可変)                         29.95
31(絞り)    ∞       1.50                         30.22
32         32.211    6.51   1.49700    81.5       30.63
33       -183.588   10.02                         30.02
34         38.575    4.35   1.80809    22.8       23.67
35       -439.645    1.20   1.90366    31.3       22.84
36         30.718    8.73                         21.72
37        107.476    2.38   1.48749    70.2       21.99
38       -105.290    0.20                         21.94
39        150.356    5.07   1.49700    81.5       21.74
40        -18.210    1.20   2.00330    28.3       21.56
41        -73.254   39.02                         22.53
像面        ∞   
【００９３】
非球面データ
第1面
K= 0.00000e+000  A 4= 3.64518e-007  A 6= 6.02272e-011  A 8= 9.19409e-015
各種データ
ズーム比      4.00 
広角     中間     望遠
焦点距離      18.00    41.35    72.00  
Fナンバー      2.80     2.80     2.80  
半画角（度）  39.81    19.94    11.77  
像高          15.00    15.00    15.00  
レンズ全長   255.00   255.00   255.00  
BF            39.02    39.02    39.02  
d18            1.76    33.28    44.57  
d25           28.40    16.57     2.50  
d28            1.09     1.96     1.69  
d30           22.62     2.06     5.12  
入射瞳位置    46.47    69.88    87.73  
射出瞳位置   -26.51   -26.51   -26.51  
前側主点位置  59.53    85.14    80.62  
後側主点位置  21.02    -2.33   -32.98  
ズームレンズ群データ
群  始面    焦点距離  レンズ構成長  前側主点位置  後側主点位置
1    1      43.60        97.36        60.00         42.89
2   19     -22.50        13.39         4.46         -5.17
3   26    -155.00         5.84         0.57         -3.18
4   29      57.40         4.35         1.12         -1.64
5   31      67.99        41.17       -16.34        -39.69
単レンズデータ
レンズ  始面  焦点距離
1       1    -83.96
2       3   -134.28
3       5   -199.10
4       7    183.61
5       9    206.77
6      11   -112.53
7      13    115.24
8      15    123.20
9      17    125.49
10      19    -54.78
11      21    -45.13
12      22     51.56
13      24    -48.84
14      26    -41.49
15      27     56.81
16      29     57.40
17      32     55.53
18      34     43.62
19      35    -31.50
20      37    109.13
21      39     32.92
22      40    -24.22
【００９４】
数値実施例４
単位 mm
面データ
i           ri       di      ndi      νdi       有効径
1*        91.219    3.00   1.77250    49.6       75.04
2         40.073   10.89                         62.27
3         97.159    3.00   1.77250    49.6       61.44
4         65.617   12.76                         57.91
5        -88.968    2.00   1.72916    54.7       57.16
6        656.554    2.86                         57.40
7         96.508    4.09   1.84666    23.8       60.20
8        181.393    4.68                         60.14
9        336.602    2.00   1.80518    25.4       61.05
10         85.503   12.37   1.61800    63.3       61.51
11       -106.628   13.63                         61.89
12        239.107    2.00   1.84666    23.8       61.52
13        118.043    5.96   1.49700    81.5       61.82
14        681.912    0.20                         62.39
15         85.814   12.76   1.49700    81.5       64.63
16       -124.631    0.20                         64.57
17*        69.581    7.87   1.64000    60.1       61.06
18        693.184  (可変)                         60.06
19        134.806    1.20   1.80400    46.6       24.81
20         24.445    5.08                         23.01
21        -44.154    1.20   1.72916    54.7       22.94
22         80.974    0.48                         23.54
23         70.454    3.67   1.95906    17.5       23.88
24       -108.602    1.94                         24.05
25        -31.037    1.20   1.80400    46.6       24.04
26       -144.191  (可変)                         25.10
27        198.207    1.40   1.83400    37.2       26.77
28         40.121    4.60   1.43875    94.9       27.42
29        -89.285  (可変)                         27.94
30         68.382    4.20   1.51742    52.4       30.47
31       -204.192    0.20                         30.82
32       -802.712    2.58   1.72916    54.7       30.95
33       -120.872  (可変)                         31.18
34(絞り)    ∞       1.29                         31.26
35         26.113    6.71   1.49700    81.5       31.52
36        217.023   12.57                         30.63
37         45.182    5.95   1.80809    22.8       23.35
38        -68.908    1.20   1.90366    31.3       22.13
39         22.304    1.99                         20.68
40         24.893   10.05   1.49700    81.5       21.36
41        -15.414    1.20   2.00330    28.3       21.05
42        -38.974   41.78                         22.48
像面        ∞   
【００９５】
非球面データ
第1面
K= 0.00000e+000  A 4= 3.24352e-007  A 6= 1.73505e-011  A 8= 4.90876e-016
第17面
K= 0.00000e+000  A 4=-3.99704e-007  A 6=-7.64184e-011  A 8=-1.16245e-013
各種データ
ズーム比      4.80 
広角     中間     望遠
焦点距離      18.50    47.42    88.80  
Fナンバー      2.80     2.80     2.80  
半画角（度）  39.04    17.55     9.59  
像高          15.00    15.00    15.00  
レンズ全長   263.32   263.32   263.32  
BF            41.78    41.78    41.78  
d18            1.16    33.58    43.63  
d26           25.37    15.25     2.48  
d29            1.07     2.06     1.45  
d33           24.92     1.64     4.97  
入射瞳位置    48.78    82.98   113.02  
射出瞳位置   -25.62   -25.62   -25.62  
前側主点位置  62.20    97.04    84.82  
後側主点位置  23.28    -5.64   -47.02  
ズームレンズ群データ
群  始面    焦点距離  レンズ構成長  前側主点位置  後側主点位置
1    1      43.00       100.29        59.43         34.16
2   19     -18.10        14.77         3.99         -6.56
3   27    -1450.00         6.00       -17.47        -21.71
4   30      66.50         6.99         2.08         -2.44
5   34      76.80        40.96       -19.36        -41.08
単レンズデータ
レンズ  始面  焦点距離
1       1    -94.50
2       3   -271.68
3       5   -106.87
4       7    235.96
5       9   -141.55
6      10     78.43
7      12   -274.76
8      13    285.39
9      15    104.06
10      17    119.78
11      19    -37.13
12      21    -38.86
13      23     44.42
14      25    -49.18
15      27    -60.18
16      28     63.63
17      30     99.08
18      32    194.00
19      35     58.86
20      37     34.23
21      38    -18.39
22      40     20.82
23      41    -25.87
数値実施例５
単位 mm
面データ
i           ri       di      ndi      νdi       有効径
1        192.136    2.50   1.77250    49.6       70.28
2         59.369    9.09                         63.79
3        234.880    3.00   1.77250    49.6       63.02
4        143.510   10.28                         61.59
5       -113.412    2.30   1.58913    61.1       61.00
6       -833.413    0.20                         61.65
7        103.436    3.75   1.95906    17.5       62.68
8        159.639    3.59                         62.27
9        329.778    2.40   1.80518    25.4       62.24
10        109.050   13.64   1.58913    61.1       61.90
11       -109.484   17.77                         62.08
12         87.728    2.30   1.80518    25.4       55.61
13         59.793   10.86   1.43875    94.9       53.91
14       -155.207    0.20                         53.37
15         59.764    5.98   1.64000    60.1       49.23
16        183.548  (可変)                         47.75
17         41.233    1.30   1.77250    49.6       28.35
18         23.321    7.83                         25.62
19        -58.724    1.20   1.58913    61.1       23.23
20         54.343    1.00                         22.74
21         34.867    3.21   1.84666    23.8       23.36
22        223.126    2.06                         23.14
23        -43.679    1.30   1.69680    55.5       23.10
24         83.687  (可変)                         23.52
25         57.718    2.00   2.00330    28.3       25.03
26         49.633  (可変)                         24.95
27        659.667    3.60   1.43875    94.9       26.11
28        -61.618    0.20                         26.77
29         93.503    2.87   1.58913    61.1       27.50
30       -272.339  (可変)                         27.59
31(絞り)    ∞       1.80                         27.66
32         38.472    3.84   1.59201    67.0       27.80
33        305.682   14.00                         27.39
34         87.462    1.94   1.72825    28.5       22.06
35         24.874    1.82                         20.92
36         24.150    2.00   1.65412    39.7       22.35
37         25.531    3.44                         22.27
38         48.055    5.00   1.43875    94.9       23.77
39       -198.239    7.13                         24.56
40         70.368    4.00   1.43875    94.9       27.29
41       -154.395   49.81                         27.47
像面        ∞   
各種データ
ズーム比      3.30 
広角     中間     望遠
焦点距離      28.00    57.32    92.40  
Fナンバー      2.80     2.80     2.80  
半画角（度）   28.18    14.67     9.22  
像高          15.00    15.00    15.00  
レンズ全長   259.88   259.88   259.88  
BF            49.81    49.81    49.81  
d16            0.98    30.88    42.20  
d24           25.10    12.75     1.00  
d26            2.62     4.97     5.39  
d30           21.96     2.05     2.07  
入射瞳位置    63.52   106.36   136.70  
射出瞳位置   -57.87   -57.87   -57.87  
前側主点位置  84.24   133.17   149.81  
後側主点位置  21.81    -7.51   -42.59  
ズームレンズ群データ
群  始面    焦点距離  レンズ構成長  前側主点位置  後側主点位置
1    1      66.30        87.86        62.71         26.31
2   17     -23.40        17.89         8.45         -5.14
3   25    -400.00         2.00         8.11          6.97
4   27      61.70         6.68         2.75         -1.77
5   31      72.72        44.98        21.42        -27.50
単レンズデータ
レンズ  始面  焦点距離
1       1   -111.61
2       3   -482.20
3       5   -222.23
4       7    292.67
5       9   -201.47
6      10     94.57
7      12   -239.92
8      13     99.67
9      15    135.36
10      17    -71.43
11      19    -47.53
12      21     47.95
13      23    -40.84
14      25   -400.00
15      27    128.32
16      29    118.04
17      32     73.68
18      34    -47.97
19      36    430.85
20      38     88.49
21      40    110.49
【００９６】
数値実施例６
単位 mm
面データ
i           ri       di      ndi      νdi       有効径
1       -143.213    2.50   1.77250    49.6       52.95
2        186.153    6.00                         52.70
3       -205.371    6.50   1.48749    70.2       53.10
4        -66.506   11.36                         53.63
5         90.339    7.00   1.58913    61.1       52.29
6       -300.617    0.50                         51.73
7         52.217    2.80   1.84666    23.8       47.63
8         40.377    7.16   1.48749    70.2       45.25
9        145.645  (可変)                         44.41
10       2461.812    1.40   1.77250    49.6       24.50
11         32.489    4.86                         23.51
12        -43.283    1.40   1.58913    61.1       23.62
13         88.312    3.00                         24.69
14         78.426    2.79   1.95906    17.5       26.78
15       2336.903    2.32                         26.99
16        -44.980    1.40   1.77250    49.6       27.05
17        -59.321  (可変)                         27.82
18       -122.036    2.00   1.88300    40.8       28.86
19         82.387    4.52   1.48749    70.2       30.19
20        -57.901  (可変)                         30.72
21        512.777    3.38   1.43875    94.9       32.51
22        -84.839    0.20                         32.99
23        118.502    3.00   1.58913    61.1       33.85
24       32581.268  (可変)                         33.98
25(絞り)    ∞       4.00                         34.18
26         40.739    5.39   1.59201    67.0       35.06
27        194.526   23.32                         34.45
28         45.667    2.00   1.65412    39.7       28.51
29         30.415    6.89                         27.74
30         61.827    5.43   1.43875    94.9       29.09
31        -76.005    5.69                         29.14
32        -27.687    1.20   1.78472    25.7       28.72
33        -43.923    0.20                         29.88
34        -69.759    5.89   1.58913    61.1       30.15
35        -38.592   56.51                         31.44
像面        ∞   
【００９７】
各種データ
ズーム比      3.00 
広角     中間     望遠
焦点距離      40.00    77.33   120.00  
Fナンバー      2.80     2.79     2.80  
半画角（度）  20.56    10.98     7.13  
像高          15.00    15.00    15.00  
レンズ全長   237.52   237.52   237.52  
BF            56.51    56.51    56.51  
d 9            1.49    29.85    41.93  
d17           24.84    12.53     1.93  
d20            0.10     2.30     1.00  
d24           20.47     2.22     2.05  
入射瞳位置    56.76   118.76   165.03  
射出瞳位置   -73.31   -73.31   -73.31  
前側主点位置  84.44   150.03   174.11  
後側主点位置  16.51   -20.82   -63.49  
ズームレンズ群データ
群  始面    焦点距離  レンズ構成長  前側主点位置  後側主点位置
1    1      89.60        43.82        31.59          3.26
2   10     -27.50        17.17         1.83        -12.29
3   18    -300.00         6.52        -8.88        -13.38
4   21      91.00         6.58         2.26         -2.18
5   25      78.62        60.01        21.71        -43.31
単レンズデータ
レンズ  始面  焦点距離
1       1   -103.93
2       3    198.04
3       5    118.24
4       7   -233.76
5       8    111.71
6      10    -42.43
7      12    -48.92
8      14     83.45
9      16   -250.39
10      18    -55.12
11      19     70.26
12      21    165.78
13      23    201.09
14      26     85.62
15      28   -145.99
16      30     78.46
17      32    -97.77
18      34    136.46
【００９８】
【表１】
2015004917.tif 000003
【符号の説明】
【００９９】
Ｕ１：第１レンズ群      Ｕ２：第２レンズ群    Ｕ３：第３レンズ群
Ｕ４：第４レンズ群      Ｕ５：第５レンズ群
【図１３】
2015004917.tif 000004
【図１５】
2015004917.tif 000005
【図１】
2015004917.tif 000006
【図２】
2015004917.tif 000007
【図３】
2015004917.tif 000008
【図４】
2015004917.tif 000009
【図５】
2015004917.tif 000010
【図６】
2015004917.tif 000011
【図７】
2015004917.tif 000012
【図８】
2015004917.tif 000013
【図９】
2015004917.tif 000014
【図１０】
2015004917.tif 000015
【図１１】
2015004917.tif 000016
【図１２】
2015004917.tif 000017
【図１４】
2015004917.tif 000018
【図１６】
2015004917.tif 000019